(57)【要約】      （修正有） 【課題】感光性要素を熱的に現像するための方法および装置に関し、特に、感光性要素の熱処理の間に生ずる蒸気および凝縮物を制御する方法および装置に関するものである。【解決手段】加熱ステーションで感光性要素の外面を、一部を液化し、また、当該層における１つまたはそれより多い組成物に蒸気を発生させるに十分な温度まで加熱するための手段と、前記加熱ステーションで蒸気を集めるための手段と、を有する。【選択図】  図１
2005134892.tif 000002
【特許請求の範囲】
【請求項１】
外面を有し部分的に液化されることが可能な組成物層を含んだ感光性要素からレリーフパターンを形成するための方法において、
加熱ステーションで前記感光性要素の前記外面を、当該層の一部を液化し、また、当該層における１つまたはそれより多い組成物に蒸気を発生させるのに十分な温度Ｔｒまで加熱し、
前記加熱ステーションで蒸気を集める
工程を有したことを特徴とする方法。
【請求項２】
吸収部材を第１部材で前記組成物層の前記外面に供給し、
第２部材で前記感光性要素を支持し、
前記感光性要素を前記吸収部材に接触させ、少なくとも前記組成物層の液化した部材の一部を前記吸収部材によって吸収させる、
工程をさらに有したことを特徴とする請求項１に記載の方法。
【請求項３】
前記加熱ステーションは前記吸収部材と接触するところまたはそれに隣接したところにあることを特徴とする請求項２に記載の方法。
【請求項４】
前記加熱工程は、
前記吸収部材が前記層に接触するところに隣接した前記組成物層の前記外面を加熱する第１加熱であって、当該層の外面を温度Ｔ１に加熱する第１加熱；
前記第１部材を、前記吸収部材が前記層の前記外面に接触しつつ当該組成物層の外面を温度Ｔ２まで加熱することができる温度まで加熱する第２加熱；
前記第２部材を、前記組成物層の前記外面を温度Ｔ３まで加熱ことが可能な温度まで加熱する第３加熱；
前記第１加熱と前記第２加熱の組み合わせ；
前記第１加熱と前記第３加熱の組み合わせ；
前記第２加熱と前記第３加熱の組み合わせ；および
前記第１加熱と前記第２加熱と前記第３加熱の組み合わせ、
のグループから選択されたことを特徴とする請求項２に記載の方法。
【請求項５】
前記接触工程は、前記感光性要素と前記吸収部材を押圧して少なくとも前記組成物層の液化した材料が吸収材に接触させることによって実行されることを特徴とする請求項２に記載の方法。
【請求項６】
前記感光性要素を前記吸収部材から分離する工程をさらに有することを特徴とする請求項２に記載の方法。
【請求項７】
蒸気を制限する工程をさらに有することを特徴とする請求項１に記載の方法。
【請求項８】
前記制限する工程の間またはその工程の後、総てまたは一部の蒸気が冷えまたは冷却されて凝縮物を形成することを特徴とする請求項７に記載の方法。
【請求項９】
前記制限工程はさらに凝縮物を制限する工程を有したことを特徴とする請求項８に記載の方法。
【請求項１０】
蒸気は冷えて凝縮物を形成することを特徴とする請求項８に記載の方法。
【請求項１１】
凝集物を集める工程をさらに有したことを特徴とする請求項８に記載の方法。
【請求項１２】
前記制限工程の間またはその工程の後、蒸気の除去を管理する工程をさらに有したことを特徴とする請求項７に記載の方法。
【請求項１３】
総てまたは一部の蒸気が冷えまたは冷却されて凝縮物を形成し、また、前記管理する工程は凝縮物を除去する工程をさらに有したことを特徴とする請求項１２に記載の方法。
【請求項１４】
前記管理工程は、凝縮物から蒸気を分離し、および凝縮物を集める工程をさらに有したことを特徴とする請求項１３に記載の方法。
【請求項１５】
前記管理工程は、凝縮物を、前記組成物層の液化した材料を吸収する吸収部材に運ぶ工程をさらに有したことを特徴とする請求項１３に記載の方法。
【請求項１６】
前記管理工程は、凝縮物を凝縮物吸収部材に運ぶ工程をさらに有したことを特徴とする請求項１３に記載の方法。
【請求項１７】
前記管理工程は、凝縮物を化学線に晒す工程をさらに有したことを特徴とする請求項１３に記載の方法。
【請求項１８】
前記管理工程は、制限された蒸気を外部の排気収集システムへ排気する工程をさらに有したことを特徴とする請求項１２に記載の方法。
【請求項１９】
前記排気収集システムにおいて、制限された蒸気の非再循環を維持する工程をさらに有したことを特徴とする請求項１８に記載の方法。
【請求項２０】
前記外部の排気収集システムは、１つまたはそれより多い凝縮物収集部材かなる部材を備えることを特徴とする請求項１８に記載の方法。
【請求項２１】
制限された蒸気を凝集物吸収材料通して運ぶ工程をさらに有したことを特徴とする請求項１２に記載の方法。
【請求項２２】
前記管理工程は、除去のためにその蒸気の状態を保つのに十分な温度に当該蒸気を維持する工程をさらに有したことを特徴とする請求項１２に記載の方法。
【請求項２３】
前記管理工程は、１つまたはそれより多い組成物を凝縮するのに十分な温度に当該蒸気を冷却する工程をさらに有したことを特徴とする請求項１２に記載の方法。
【請求項２４】
加熱ステーションにおける蒸気を囲む工程をさらに有したことを特徴とする請求項１に記載の方法。
【請求項２５】
前記感光性要素は、シート、円筒およびスリーブ上のシートからなるグループから選択されることを特徴とする請求項１に記載の方法。
【請求項２６】
前記加熱工程は加熱された空気を生成し、前記方法は前記加熱された熱を除去する工程をさらに有したことを特徴とする請求項１に記載の方法。
【請求項２７】
前記加熱工程は加熱された空気を生成し、前記方法は前記熱を制御する工程をさらに有したことを特徴とする請求項１に記載の方法。
【請求項２８】
前記加熱ステーションにおいて空気を供給する工程をさらに有したことを特徴とする請求項１に記載の方法。
【請求項２９】
前記加熱ステーションにおいて前記収集工程による収集のために蒸気を含ませる工程をさらに有したことを特徴とする請求項１に記載の方法。
【請求項３０】
前記収集工程から蒸気を排気する工程をさらに有したことを特徴とする請求項１に記載の方法。
【請求項３１】
外面を有し部分的に液化されることが可能な組成物層を含んだ感光性要素からレリーフパターンを形成する装置において、
加熱ステーションで前記感光性要素の前記外面を、当該層の一部を液化し、また、当該層における１つまたはそれより多い組成物に蒸気を発生させるのに十分な温度Ｔｒまで加熱するための手段と、
前記加熱ステーションで蒸気を集めるための手段と、
を有したことを特徴とする装置。
【請求項３２】
吸収部材を第１部材で前記組成物層の前記外面に供給する手段と、
第２部材で前記感光性要素を支持する手段と、
前記感光性要素を前記吸収部材に接触させ、少なくとも前記組成物層の液化した部材の一部を前記吸収部材によって吸収させる手段と、
をさらに有したことを特徴とする請求項３１に記載の装置。
【請求項３３】
前記感光性要素を前記吸収部材から分離する手段をさらに有することを特徴とする請求項３２に記載の装置。
【請求項３４】
前記供給する手段は、第１フレーム部において回転するよう装着されたローラを備えたことを特徴とする請求項３２に記載の装置。
【請求項３５】
前記支持する手段は、第１フレーム部において回転するよう装着されたドラムを備え、該ドラムは前記感光性要素を支持するようにされた感表面を有することを特徴とする請求項３２に記載の装置。
【請求項３６】
前記加熱手段は、
前記吸収部材が前記層に接触するところに隣接した前記組成物層の前記外面を加熱する第１加熱であって、当該層の外面を温度Ｔ１に加熱する第１加熱；
前記第１部材を、前記吸収部材が前記層の前記外面に接触しつつ当該組成物層の外面を温度Ｔ２まで加熱することができる温度まで加熱する第２加熱；
前記第２部材を、前記組成物層の前記外面を温度Ｔ３まで加熱ことが可能な温度まで加熱する第３加熱；
前記第１加熱と前記第２加熱の組み合わせ；
前記第１加熱と前記第３加熱の組み合わせ；
前記第２加熱と前記第３加熱の組み合わせ；および
前記第１加熱と前記第２加熱と前記第３加熱の組み合わせ、
のグループから選択されたことを特徴とする請求項３２に記載の装置。
【請求項３７】
蒸気を制限する手段をさらに有することを特徴とする請求項３１に記載の装置。
【請求項３８】
蒸気の除去を管理する手段をさらに有したことを特徴とする請求項３１に記載の装置。
【請求項３９】
前記管理手段は、蒸気を排気する手段をさらに有したことを特徴とする請求項３８に記載の装置。
【請求項４０】
蒸気を排気する前記排気手段は、外部の排気収集システムであることを特徴とする請求項３９に記載の装置。
【請求項４１】
前記管理手段は、蒸気の非再循環を維持する手段をさらに有したことを特徴とする請求項３９に記載の装置。
【請求項４２】
前記管理手段は、除去のためにその蒸気の状態を保つのに十分な温度に当該蒸気を維持する手段をさらに有したことを特徴とする請求項３９に記載の装置。
【請求項４３】
前記管理手段は、１つまたはそれより多い組成物を凝縮するのに十分な温度に当該蒸気を冷却する手段をさらに有したことを特徴とする請求項３８に記載の装置。
【請求項４４】
総てまたは一部の蒸気が冷えまたは冷却されて凝縮物を形成することを特徴とする請求項３１に記載の装置。
【請求項４５】
蒸気および凝集物を制限する手段をさらに有したことを特徴とする請求項４４に記載の装置。
【請求項４６】
蒸気および凝集物を管理する手段をさらに有したことを特徴とする請求項４４に記載の装置。
【請求項４７】
前記管理手段は、凝縮物から蒸気を分離する手段をさらに有したことを特徴とする請求項４５に記載の装置。
【請求項４８】
凝集物を集める手段をさらに有したことを特徴とする請求項４４に記載の装置。
【請求項４９】
凝縮物を、前記組成物層の液化した材料を吸収する吸収部材に運ぶ手段をさらに有したことを特徴とする請求項４４に記載の装置。
【請求項５０】
凝縮物を凝縮物吸収部材に運ぶ手段をさらに有したことを特徴とする請求項４４に記載の装置。
【請求項５１】
凝縮物を化学線に晒す手段をさらに有したことを特徴とする請求項４４に記載の装置。
【請求項５２】
蒸気を排気する手段をさらに有したことを特徴とする請求項４６に記載の装置。
【請求項５３】
蒸気の非再循環を維持する手段をさらに有したことを特徴とする請求項５２に記載の装置。
【請求項５４】
前記排気手段は、１つまたはそれより多い凝縮物収集部材かなる部材を有したことを特徴とする請求項５２に記載の装置。
【請求項５５】
前記管理手段は、蒸気を凝集物吸収材料通して運ぶ手段をさらに有したことを特徴とする請求項４６に記載の装置。
【請求項５６】
前記加熱手段は加熱ステーションであることを特徴とする請求項３１に記載の装置。
【請求項５７】
前記蒸気を収集する手段は多技管であることを特徴とする請求項３１に記載の装置。
【請求項５８】
前記収集手段によって収集された蒸気を排気する手段をさらに有したことを特徴とする請求項３１に記載の装置。
【請求項５９】
前記加熱手段においてまたはそれに隣接して蒸気を囲む手段をさらに有したことを特徴とする請求項３１に記載の装置。
【請求項６０】
前記加熱手段は加熱された空気を生成し、前記装置は前記加熱された熱を除去する手段をさらに有したことを特徴とする請求項３１に記載の装置。
【請求項６１】
前記加熱手段は加熱された空気を生成し、前記装置は前記熱を制御する手段をさらに有したことを特徴とする請求項３１に記載の装置。
【請求項６２】
前記加熱ステーションにおいて空気を供給する手段をさらに有したことを特徴とする請求項３１に記載の装置。
【請求項６３】
前記加熱ステーションにおける蒸気を前記収集手段に向かわせる手段をさらに有したことを特徴とする請求項３１に記載の装置。
【発明の詳細な説明】
【技術分野】
【０００１】
本発明は、感光性要素を熱的に現像するための方法および装置に関し、特に、感光性要素の熱処理の間に生ずる蒸気および／または凝縮物を制御する方法および装置に関するものである。
【背景技術】
【０００２】
フレキソ印刷版は、例えば、ボール紙、プラスチックフィルム、アルミ箔などの包装部材のような、柔軟で容易に変形するものから比較的硬いものまで多種多様な印刷面に用いられることでよく知られている。このフレキソ印刷版は、特許文献１や特許文献２に記載されるような、光重合可能な組成物を含んだ感光性要素から作ることができる。光重合をする組成物は、一般に、エラストマー結合剤、少なくとも１つのモノマー、および光開始剤を備えている。感光性要素は、一般に、支持材と保護シートまたは多層の保護要素との間に配される光重合層を有している。化学線に対して像のように露出される際に、光重合層の光重合は露出された領域で生じ、それによって上記層の露出領域で硬化および不溶化が生じる。従来、感光性要素は適当な溶液、例えば溶剤や水性ベースの洗浄液で処理され、光重合層の露出されない部分が取り除かれてフレキソ印刷に用いられる印刷レリーフが残されるようする。しかし、感光性要素を溶液で処理する現像システムは多くの時間を要する。これは、吸収された現像液を除くのに長時間（０．５時間から２４時間）の乾燥を必要とするからである。
【０００３】
液体現像に代わるものとして、“乾式”熱現像処理を用いることができ、この処理は、多くの時間を要する乾燥工程をその後に続いて実施すること無しに非露出領域を取り除くものである。熱現像処理では、感光性層は、それは化学線に対して像のように露出され、ある温度で吸収材と接触するが、この温度は感光性層の非露出部分の組成物を軟化させまたは溶解して吸収材の中に流れ込むようにするのに十分な温度である。特許文献３（Ｂｕｒｇ他）；特許文献４（Ｃｏｈｅｎ他）；特許文献５（Ｍａｒｔｅｎｓ）；特許文献６（Ｍａｒｔｅｎｓ）；特許文献７（Ｍａｒｔｅｎｓ）；および特許文献８（Ｐｅｔｅｒｓｏｎ他）で参照することができる。感光性層の露出される部分は、非露出部分の軟化温度において硬いままである。すなわち、柔らかくなりあるいは溶解することがない。吸収材は、軟化した非照射材料を集め、その後感光性層から分離されもしくは取り除かれる。感光性層の一連の加熱と接触は数回繰り返すことが必要であり、これにより、非照射領域から流動性の組成物を十分に取り除いて印刷に適したレリーフ構造を形成することができる。このような処理の後には、照射され硬化した組成物の浮き出たレリーフ構造が残り、それが照射された像を表すことになる。
【０００４】
【特許文献１】米国特許第４，３２３，６３７号明細書
【特許文献２】米国特許第４，４２７，７５９号明細書
【特許文献３】米国特許第３，０６０，０２３号明細書
【特許文献４】米国特許第３，２６４，１０３号明細書
【特許文献５】米国特許第５，０１５，５５６号明細書
【特許文献６】米国特許第５，１７５，０７２号明細書
【特許文献７】米国特許第５，２１５，８５９号明細書
【特許文献８】米国特許第５，２７９，６９７号明細書
【特許文献９】国際公開第２００１／１８６０４号パンフレット
【特許文献１０】国際公開第９８／１３７３０号パンフレット
【特許文献１１】米国特許第４，３２３，６３６号明細書
【特許文献１２】米国特許第４，７５３，８６５号明細書
【特許文献１３】米国特許第４，７２６，８７７号明細書
【特許文献１４】米国特許第４，４６０，６７５号明細書
【特許文献１５】米国特許第５，２６２，２７５号明細書
【特許文献１６】米国特許第５，７１９，００９号明細書
【特許文献１７】米国特許第５，６０７，８１４号明細書
【特許文献１８】米国特許第５，５０６，０８６号明細書
【特許文献１９】米国特許第５，７７６，８１９号明細書
【特許文献２０】米国特許第５，８４０，４６３号明細書
【特許文献２１】欧州特許第０，７４１，３３０Ａ１号明細書
【発明の開示】
【発明が解決しようとする課題】
【０００５】
感光性組成物は、感光性要素が加熱されて熱現像が生じるのに必要な温度になったときに蒸発もしくは揮発する１つまたはそれより多い組成物を含んでいる。これらの蒸発もしくは揮発する組成物は、一般にモノマーを含む低分子量化合物である。蒸気は、熱現像処理機の中で凝縮し制御されずに熱現像位処理機の様々な領域に液となって落ち、処理機内が汚い状態になる。熱現像処理機内での凝縮液の形成は、通常、高容量で大プレートサイズが要因となる使用法に依存している。このように、熱現像処理機内に残る蒸気および／またはその蒸気の凝縮物によって、熱現像処理機を清浄な状態に保ちまたその動作を維持することが難しく、最終的には熱現像装置を傷めることがある。
【０００６】
また、処理機の中で現像されている感光性要素は、特に、その要素の像領域の上に凝縮液が滴下するとき、その凝縮液によって損傷を受ける。これらの領域に滴下する凝縮液によって感光性要素の表面に変動を生じ、その表面を印刷に適さないものにすることがある。
【０００７】
フレキソ印刷要素の熱現像のための処理機が知られており、特許文献８には、自動化された工程および装置によって照射された印刷要素を処理し、加熱と押圧を繰返すことによって上記要素から照射されない組成物を取り除くことが記載されている。上記文献は、ある組成物は熱工程で蒸気を発しそれがそれほど適したものでないことを示唆している。しかし、上記文献は熱工程で発生した蒸気の問題については言及していない。
【０００８】
特許文献９には、感光性要素を熱処理する方法および装置が記載されている。この熱現像装置は吸出しファンによって通気されており、そのファンによって組成物層を加熱したときに生じる蒸気を制御することができる。この吸出しファンユニットから排出される蒸気は導管によって放出される。吸出しファンに関連したプレナムの底に沿って複数の吸気口が設けられる。これらの吸気口は現像ニップの上方に配され、その現像ニップは感光性要素が加熱されて吸収材と接触させられる箇所である。詳細に示されず、また、記載されてはいないが、室温の空気が装置の底部またはその近くや他の場所でその装置内に入り込む。さらに、感光性要素を冷やすための手段、例えば、上記現像ニップの近くの送風機によって空気が装置内に導入される。吸出しファンユニットは装置内を循環している、蒸気を含んだ空気を引いて排気導管に導く。
【０００９】
この文献に開示される市販装置の具体例は収集用パンも有しており、それによって吸出しファンユニットが蒸気を排出するのに先立って凝集液を集めることができる。この収集用パンは吸出しファンユニットの下方で排気導管に隣接して配置されている。具体例の中には、収集用パンが排液路を有して凝集液を外部の容器に排出したり、また、収集用パンが排液路を有しその排液路が手動で開けられて排出が行われたりするものがある。環境上の理由から、処理機から空気を排出する前に空気から蒸気を取り出すことが好ましいが、蒸気は排出される空気とともに出るようにしてもよい。また、取り出された蒸気は凝縮して収集用パンに集まることが望ましい。しかし、蒸気はパンに到達する前に凝縮する傾向にあり、それによってユニット内に水滴を生じさせる。
【００１０】
ある組成物の熱現像中に発生する蒸気の扱いについての他の取り組みが特許文献１０に述べられている。この文献には多層の柔軟な感光性プレートを生成する処理が開示されている。上記多層の第２の層は感光性エラストマー組成物でできており、この組成物は１重量％にすぎないエチレン共重合不飽和化合物を分子量５００以下で有したものである。組成物における低分子量化合物の量を制限すると、熱現像中に発する揮発物の量を減らすことができる。このやり方は、しかしながら、熱処理される感光性要素を制限し、また、それによって作られる印刷版の種類について顧客が制限されることになる。
【００１１】
このように、蒸気とそれからの凝集物が発生する点で、感光性要素の熱現像中に問題が生じる。従来技術の熱現像処理における排気システムは、上記の問題について言及しておらず、また、処理機における蒸気と凝縮物の管理について限られた結果が得られるだけである。蒸気および／または凝集物の存在を制御できないことによって、処理機を清浄な状態に保ち、また、処理機の動作を維持することが難しくなり、最終的に熱現像処理機に損傷を与えることがある。また、処理機において凝集物の滴りを制御できないことによって、感光性要素に対しそれを印刷に用いることができない程度に損傷を与えることもある。
【課題を解決するための手段】
【００１２】
本発明は、外面を有し部分的に液化されることが可能な組成物層を含んだ感光性要素からレリーフパターンを形成するための方法を提供する。この方法は、加熱ステーションで前記感光性要素の前記外面を、当該層の一部を液化し、また、当該層における１つまたはそれより多い組成物に蒸気を発生させるのに十分な温度Ｔｒまで加熱し、前記加熱ステーションで蒸気を集める工程を有したことを特徴とする。
【００１３】
また、本発明は、外面を有し部分的に液化されることが可能な組成物層を含んだ感光性要素からレリーフパターンを形成する装置を提供する。この装置は、加熱ステーションで前記感光性要素の前記外面を、当該層の一部を液化し、また、当該層における１つまたはそれより多い組成物に蒸気を発生させるのに十分な温度Ｔｒまで加熱するための手段と、前記加熱ステーションで蒸気を集めるための手段と、を有したことを特徴とする。
【発明を実施するための最良の形態】
【００１４】
本発明は感光性要素を熱的に現像する装置および処理であって、上記感光性要素は部分的に液化され得る組成物層を含んで、好ましくはフレキソ印刷版を形成するものである。この装置は、組成物層を加熱してその層の少なくとも一部を溶解するのに十分な温度にする。特に、本発明は、感光性要素の熱現像中に発生する蒸気および／または蒸気の凝縮物を制御するための装置および処理に関する。
【００１５】
熱現像では感光性要素を現像温度まで加熱し、それによって組成物層の硬化していない部分を液化する。すなわち、上記部分を、溶解しまたは柔らかくしまたは流動化させる。そして、その部分を吸収材との接触によって取り除く。感光性層の硬化した部分は、硬化していない部分よりも高い溶解温度を有しており、従って、上記の現像温度では溶解せず、柔らかくならず、または流動化しない。感光性要素の熱現像によってフレキソ印刷版を形成することは、特許文献５、特許文献６、特許文献７、特許文献１０に記載されている。感光性要素は、基材と少なくともその基材上に設けられる組成物層を含んだものである。組成物層は部分的に液化することが可能なものである。
【００１６】
“溶解”の用語を用いて組成物層の照射されない部分の作用を記述することができ、この部分は高められた温度によって軟化して粘性が低くなり、これによって吸収材による吸収が可能となる。組成物層のこの溶解する部分の材料は、通常、固体と液体との間の急激な相転移を持たない粘弾性材料であり、それによって、吸収材における吸収のための閾値より高い温度のいずれにおいても加熱された組成物層を吸収するように処理工程が機能することができる。本発明の目的に関し、広い温度範囲で組成物層を“溶解”することができる。処理が良好に行われているときに、より低い温度では吸収はゆっくりとなりより高い温度では吸収はより早くなる。同様に、より低い現像温度で感光性層における組成物の蒸発はより少なくなり、より高い現像温度で（上記の量および／または蒸発する組成物の数によって特徴付けることができる）組成物の蒸発はより多くなる。
【００１７】
感光性要素を熱現像するのに適した装置が特許文献８および特許文献９に開示されている。これらの文献は感光性要素が好ましくは熱処理ためのドラム上に配されることを示しているが、当然のことながら上記要素は処理のために平らな面に配置することもできる。また、当業者であれば、開示される装置を変更してドラムに円筒またはスリーブ状の感光性要素を装着するようにすることもできる。
【００１８】
図１は、実施形態に係る熱処理機１０を示している。ドラム１８は静止支持フレーム１２に支持されて回転できるよう装着され、矢印１８ａで示す反時計回りに回転する。感光性要素１６はフィードトレイ１４の面１３上に置かれ、矢印１４ａで示される方向に付勢される。ドラム１８はクランプ２０を含んでおり、それによって感光性要素１６の先端を捕まえて要素１６をドラムに装着することができる。要素１６は、処理の間実質的にドラム１８の外面２２に接触したままである。
【００１９】
本発明では、熱現像には、感光性要素１６の組成物層の外面１７を温度Ｔｒまで加熱することが含まれ、これにより上記層の一部を温度Ｔｒで十分に液化させることができる。少なくとも１つの感光性層（および存在する場合には付加的な層）は、伝導、対流、放射または他の加熱方法によって加熱することができ、その加熱によって達する温度は硬化していない部分を溶解できるのに十分な温度であるがその層の硬化した部分にひずみを生じさせるほどの高い温度ではない。１つまたはそれより多い付加的な層が上記組成物層の上に配され、この１つまたはそれより多い層は軟化し、溶解しまたは流動化し、吸収材によって同様に吸収される。感光性要素は約４０℃以上、好ましくは約４０℃から約２３０℃（１０４−４４６°Ｆ）の表面温度まで加熱され、これにより、組成物層の硬化していない部分を溶解ないし流動化することができる。感光性要素１６を加熱し、また、その最も外側の面を吸収材に接触させる、これらの熱処理工程は、同時に行うことができる。あるいは、吸収材に接触するときに光重合層の硬化していない部分が未だ柔らかくまたは溶解した状態にあるという条件の下で、順番に行うことができる。
【００２０】
ドラム１８はヒータ２４を備え、このヒータは感光性要素１６を周囲環境に影響されない安定した開始温度に維持するように設けられたものである。ドラム１８を加熱する手段は、ヒータの出力性能がドラム１８の外面２２の表面温度を、約５０−１５０°Ｆ（１０−６５．６℃）、好ましくは７から９５°Ｆ（２３．９−３５℃）から選択された温度に正確に一定に保つのに十分である限り、どのようなものでもよい。ドラムを加熱する手段はドラム１８を加熱しその温度を、組成物層の外面１７を温度Ｔ３まで熱することが可能な温度までにすることができる。ヒータ２４は巻き線ブランケットのような電気加熱ブランケットとすることができる。通常の動作環境が注意深く制御されて一定の温度に維持される場合には、このヒータはそのスイッチが切られあるいは装置において省略される。特許文献９に開示されるように、ドラムは、空気の流れを感光性要素やドラムに向ける送風機のような冷却手段によって冷却することができ、および／またはドラムの面の下側において循環し要素の支持部側を冷却することによって冷却することができる。
【００２１】
ドラム１８に隣接した第１加熱手段はヒータ３０を具え、このヒータは図示の実施形態では収束型の放射ヒータであり、その放射はドラム１８上の感光性要素１６の外面１７に向けられたものである。ヒータ３０は組成物層の外面１７の温度を温度Ｔ１まで上昇させる。一実施形態では、ヒータ３０は組成物層の外面１７の温度を温度Ｔｒまで上昇させるが、この温度は組成物層の非照射部分を溶解して層の一部を液化するのに十分な温度である。ヒータ３０は、組成物層を支持する基材１５を顕著に加熱しないタイプのものである。ヒータ３０は組成物層の外面１７に熱を与える。図示の実施形態では、ヒータ３０は、バルブ３１のような複数の管状の赤外線加熱バルブを具える。そして、これらのバルブは支持体３２のような端面支持体に装着され、この支持体によってブルブ３１の電気接続がなされる。ブルブ３１の側部に隣接しドラム１８の反対側には反射器が存在し、これはその作用によって赤外線を集中させて感光性要素シート１６の外面に向ける。ヒータ３０の他の実施形態では、１つの管状赤外線加熱バルブ３１を用い、これを反射器３３を備えた端面支持体３２に装着することができる。
【００２２】
熱処理機１０は連続した吸収材のウエブ３５を供給する送出手段を含んでおり、このウエブは、好ましい実施形態では、ホットローラ３８と接触するものである。加熱のための第２の手段はホットローラ３８を含むものである。ホットローラ３８は感光性要素１６を搬送するドラム１８に隣接している。ホットローラ３８は、また、ヒータ３０にも隣接し、それによって組成物層の外面１７を温度Ｔ２に維持し、またはその温度まで上昇させる。ホットローラ３８は感光性要素１６の外面１７に熱を与える。吸収ウエブ３５は供給ローラ４０から解かれて曲がりくねった経路でローラ４１とローラ４２との間に渡される。そして、ウエブ３５はホットローラ３８の上およびローラ４３，４４の上を案内される。１つまたはそれより多いローラ４１、４２、４３、４４、または４５によってウエブ３５を移動させる。１つまたはそれより多いローラ４０、４１、４２、４３、４４はブレーキ機構を含むことができ、これによって搬送経路におけるウエブの張力を維持することができる。このようにして、ウエブ３５は巻取りローラ４５によって巻き取られる。
【００２３】
処理機１０は、ドラム１８とホットローラ３８相互の相対運動を行うための手段を具えており、これにより、感光性要素１６と吸収材のウエブ３５とが接触するようにすることができる。この相対運動を行う手段は、例えば、ホットローラ３８（および／またはドラム１８）をビーム４８に取付けられたアーム４７に装着することによって成すことができるものであり、上記ビームは１つまたはそれより多いアクチュエータ４９を動作させることによってホットローラ３５を動かすことができる。温度センサを処理機の全体にわたって装着し、ドラム１８、ホットローラ３８、および放射ヒータ３０における加熱要素を制御する目的で温度を監視することもできる。
【００２４】
第１ヒータとして機能放射ヒータ３０、第２ヒータとして機能するホットローラ３８、および第３ヒータとして機能するドラムヒータ２４は、独立してあるいはいずれかが組合わさって感光性要素１６の外面１７を加熱し、その温度を組成物層の一部、すなわち、非照射部分が温度Ｔｒで十分に液化する温度とする。第１加熱手段、第２加熱手段、および第３加熱手段は、独立してあるいはいずれかが組合わさって加熱ステーション５０を構成する。好ましい加熱ステーション５０は第１および第２加熱手段を含むものである。
【００２５】
処理機１０は加熱管理システムを含むこともでき、これによって熱現像によって発生する熱を制御することができる。処理機内から加熱された空気を導くための放出口５２が加熱ステーション５０の上方に位置するが、ステーションから十分に隔絶されており、これによって加熱管理システム内に蒸気を捕える可能性を最小限にすることができる。加熱された空気は排気口５４を通って処理機１０から排出される。
【００２６】
加熱ステーション５０において組成物層の一部を液化するのに十分な温度Ｔｒまでその組成物層を加熱することにより、上記層における１つまたはそれより多い組成物が蒸気を形成する。感光性要素１６を加熱することによって形成される蒸気は、主に組成物層におけるモノマーまたは複数のモノマーからなる。この蒸気は、組成物層に存在する他の低分子量の有機化合物の揮発によっても形成されるものである。加えて、組成物層上の付加的な層の１つまたはそれより多い組成物が加熱に際して蒸気を生じる可能性もある。
【００２７】
本発明では、熱現像中に加熱ステーション５０で形成された蒸気は制御され、これにより、そのとき現像されている感光性要素１６や続いて処理に入る感光性要素１６のレリーフ面を荒らすことのないようにすることができる。熱現像中に形成される蒸気を制御することによって熱処理機の清浄度や動作を改善することもできる。感光性要素１６を加熱することによって発生する蒸気を制御する手段は、加熱中に蒸気を集める手段、蒸気を制限する手段、および制限された蒸気の除去を管理する手段を含む。感光性要素１６を加熱することによって発生する蒸気やその蒸気の凝縮物を制御する手段は、蒸気−凝縮物管理システムを構成する。
【００２８】
熱現像中に発生する蒸気の制御は、感光性要素１６が加熱されている箇所、すなわち、加熱ステーション５０またはそれに隣接した箇所の蒸気を集めることによって開始する。少なくとも１つの収集部材５５は、感光性要素１６の組成物層から発する蒸気を集める。少なくとも１つの収集部材５５は蒸気を集める手段である。収集部材５５は加熱ステーション５０に位置してそこで形成されるだけの蒸気を集め、また、それ自体は加熱ステーション５０の中またはその周囲のどの場所にも位置することができる。蒸気は、組成物層が液化する温度Ｔｒに達しつつあるときまたは達したときに最も形成され易いため、少なくとも１つの収集部材５５はニップ６０のところまたはこれに隣接する箇所に配置されるが、このニップは感光性要素１６の外面１７が吸収ウエブ３５と接触するところである。少なくとも１つの収集部材５５は、ホットローラ３８およびドラム１８に隣接している。少なくとも１つの収集部材５５は処理機１０内においてフレーム１２に取付けられた装着ブラケットによって支持され、または処理機１０の側壁ないし内壁によって支持される。少なくとも１つの収集部材５５は固定され、ホットローラ３８がドラム１８に付勢されるときにローラ３８とともに動かないものである。
【００２９】
図１に示す実施形態では、３つの収集部材５５が加熱ステーションにあり、これらはニップ６０の両側それぞれに配置されるとともにホットローラ３８の周りに間隔をおいて配置される。少なくとも１つの収集部材５５は、ホットローラ３８の縦軸に平行であるかあるいは実質的に平行であり、また、ホットローラ３８と同じかあるいは実質的に同じ軸長さである。少なくとも１つの収集部材５５は管をなし、この管は複数の開口５５ａまたは１つまたはそれより多い軸方向のスロット５５ａを有し、これらによって蒸気を含んだ空気を取り入れることができる。収集部材５５は多岐管としても認識され得るものである。蒸気は吸出しファン６２によって少なくとも１つの収集部材５５に引かれ、この吸出しファンは最終的に処理機１０の排気口５４の近くで蒸気を制御する手段に接続している。排気ファン６２は処理機が動作を開始したときにスイッチが入れられ、感光性要素１６の現像の間、すなわち、感光性要素１６の加熱および接触の総ての回数の間動作を続ける。このファンは休止期間中も好ましくは低い速度で動作し、これにより、処理機内の待機温度まで加熱しまたはそれを維持することによる蒸気を捕えることができる。
【００３０】
蒸気を集める手段はシュラウド５６を含むことができ、このシュラウドは、加熱ステーション５０の領域における蒸気を含んだ空気を、処理機１０の内部環境の他の部分から隔てるかあるいは実質的に隔てるものである。シュラウド５６は、ドラム１８と向かい合っているホットローラ３８の背面側に配置され、これにより、加熱ステーション５０における少なくとも１つの収集部材５５を実質的に囲むようにしている。シュラウド５６は蒸気を含んだ空気を加熱ステーション５０の領域にとどめるのに役に立ち、これにより、少なくとも１つの収集部材５５は蒸気が処理機１０の他の環境に移動する前に蒸気を集めることができる。図示の実施形態では、シュラウド５６の端部５８が、ホットローラ３８に接触した後の吸収ウエブ３５の経路に沿って伸びている。このように、シュラウド５６は、ウエブ３５が未だ熱いうちはこれを覆い、ウエブで運び去られる組成物層の非硬化部分から出続けるときの蒸気を隔てるのに役に立っている。これに代わる実施形態として、多数のシュラウド５６を少なくとも１つの収集部材５５の周りにおくこともできる。さらに他の実施形態として、箱状のシュラウドを収集部材５５の周りに置くこともできる。このシュラウドは開口を備えて吸収ウエブ３５を出入りさせることができるものであり、また、その位置はホットローラ３８とドラム１８との間のニップとすることができる。
【００３１】
蒸気を集めるための手段は、さらに加熱ステーション５０における少なくとも１つの収集部材５５の近くまたは隣接した空気の供給５７を含んだものである。空気の供給５７は、エアーナイフまたはエアーカーテンとも称され、蒸気を囲ってこれを少なくとも１つの収集部材５５に向けるのに役に立つものである。このエアーカーテン５７は、１つまたはそれより多い管状部材からなり、それぞれは隣接する収集部材５５に平行または実質的に平行なものである。管状部材はそれぞれ複数の開口を有し、それらの開口は加熱ステーション５０に空気を供給する。好ましくは、エアーカーテン５７はその管状部材を介して、ニップ６０の前と後に配置された収集部材５５のそれぞれにおいて空気を供給する。エアーカーテンによって供給される空気は、少なくとも１つの収集部材５５によって取り去られる空気総量の大体１０％未満であり、好ましくは５％未満である。空気は加圧された空気源の都合のよいもののいずれかからでも供給することができ、そのような空気源として、例えば、加圧空気ライン、専用の送風機、あるいは大きな送風機の副流などがある。また、空気供給５７は、排気ファン６２からの小さな空気の流れを少なくとも１つの管状部材に向けることによってももたらされ、これにより、排気口５４からの空気の一部を再使用することができる。好ましくは、空気供給５７は加圧空気ラインからのものであり、そのラインはレギュレータを有して供給される空気の圧力を制御することができるものである。なお、どのような種類の気体の流れでも、その気体が処理機内の状態に対して不活性であるという条件の下で空気に代わって供給することができることはもちろんである。空気はその入手し易さから好まれるものである。
【００３２】
一実施形態では、蒸気を集める手段は生成された蒸気の総てあるいは大部分を獲得する。本発明では、蒸気の一部だけが集められ残りは排気口５４によって取り除かれてもよい。この場合、蒸気を集める手段は十分に蒸気を捕え、処理機１０からの排気およびそれに関連した残りの蒸気の薄められたものが処理のどこか時点で飽和状態に至らないようにし、また、望ましくない場所で凝集物を生じる危険を冒さないようにしなければならない。
【００３３】
蒸気を制御することには、蒸気が処理機１０の内部に存在する間これを制限するための手段をも含むものである。図１に示す実施形態では、収集部材５５の総ての第１端部６５がそれぞれ蒸気を制限する手段に接続する。蒸気を制限する手段は、一連の相互に連結する導管６６からなり、これらの導管は収集部材５５からの蒸気を蒸気の除去を管理する手段に向けるものである。集められた蒸気は一連の相互連結する導管６６に含まれ、また、その蒸気を上記導管を通って、吸出しファン６２により蒸気を除去を管理するための手段に導かれる。収集部材５５の第１端部６５は第１導管６７ａに連結し、一方この導管は第２導管６７ｂに連結する。一実施形態では、収集部材５５の１つの端部６５だけが蒸気を制限する手段に連結する。代わりの実施形態では、収集部材５５の（処理機断面の面から出ている）第２の端部は同様に一連の相互連結する導管６６に連結し、これらの導管は収集部材からの蒸気の除去を管理するための手段に導く。
【００３４】
収集の後、収集部材５５または導管６６の中にある間、蒸気は冷えまたは冷却されて蒸気の１つまたはそれより多い組成物は凝縮して液体または液体状のものとなる。蒸気が収集部材内にあるときに冷えて凝縮物を形成する場合には、移動する空気がその凝縮物を蒸気の除去を管理する手段まで運ぶ。このように蒸気を制限する手段は、また、生成される凝縮物をも制限する。図示の実施形態では、第１導管６７ａは第２導管６７ｂに連結するが、この第２導管は鉛直方向あるいは実質的鉛直方向に向いたものであり、これにより、蒸気が凝縮したときに、その凝縮物が重力の下で流れて蒸気の除去を管理する手段に向かうようにすることができる。冷却は、蒸気を含んだ空気が加熱ステーションから収集部材５５や導管６６を通って運び去られるときに自然に生じることがある。あるいは、蒸気は、蒸気除去を管理する手段の一部またはその前のものとしての熱交換器、例えばコンデンサのようなものによって冷却されてもよい。
【００３５】
これに代わり、蒸気を制限する手段が、例えば、第１および第２導管６７ａ、６７ｂの１つまたはそれより多い、周りに巻かれた電気線で加熱されてもよい。蒸気を制限する手段を加熱することにより、好ましく蒸気の除去を管理する手段によって処理機１０から除去するため、蒸気がその蒸発した状態に維持される。なお、蒸気は、加熱されているかまたは加熱されていないいずれのものも、導管６６を通って排気口５４に直接運ばれてもよい。蒸気が直接排気口５４に行く場合は、空気からの蒸気の除去は、処理機の外部の排気システムによって実施することができる。このシステムには、カナダ、オンタリオのデュロバックインダストリアルバキュームス（ＤｕｒｏＶａｃＩｎｄｕｓｔｒｉａｌＶａｃｕｕｍｓ）やイリノイ、ビラパークのニクロインダストリーズ（ＮｉｋｒｏＩｎｄｕｓｔｒｉｅｓ）によって販売されている工業用真空機のようなものがある。
【００３６】
蒸気の制御には処理機から蒸気を取り除くことの管理が含まれている。凝縮物が存在する場合には、上記管理手段は凝縮物の除去をも管理する。第２導管６７ｂの端部は、収集部材５５に連結する導管６７ａとは反対側で蒸気除去を管理する手段に連結する。蒸気除去を管理する手段には分離ユニット７０が含まれている。
【００３７】
図２は、分離ユニット７０の実施形態を示しており、この分離ユニットは蒸気、蒸気と凝縮物、または空気からの凝縮物の除去を管理するのに適したものである。分離ユニット７０には、合体ユニット７４、突き当たり面７６、および分離室７８が含まれる。分離ユニット７０に入る前に、通常、蒸気は十分に冷えて凝縮および極めて小さな液滴の形成を始める。合体ユニット７４は極めて小さな液滴が集まり凝縮物のより大きな液滴に合体するようにするが、その大きな液滴は移動する空気の流れから分離し易いものである。合体ユニット７４はメッシュ７９からなり、このメッシュは導管６７ｂの端部において分離ユニット７０の入り口８０のところまたはその中で囲まれた状態にある。凝縮物は、導管６６で冷えて存在する場合、または合体ユニット７４において形成される場合、メッシュ７９を通って分離室７８の底８１で集まる。突き当たり面７６は板状部材であり、この部材は分離室７８の内部において分離ユニット７０の入り口８０の近くに装着され、これにより、合体ユニット７４からの小さな液滴または液滴を含んだ空気が面７６に突き当たるようにする。この板状部材は、エンボス加工、エッチング加工、または修正され、蒸気の集まったものが液滴としての凝縮物になることを促進するパターンが突き当たり面７６に形成される。一実施形態では、このパターンは２つのＷが相互に積み重なったような一続きの山形羽根の模様である。しかし、突き当たり面７５の液滴形成を誘導するパターンであればどのようなものも含まれ得る。液滴または小さな液滴は突き当たり面７６上で集まって、分離室７８の底８１に滴下する。
【００３８】
合体と分離の機能を組み合わせて１つのユニットとすることも考慮でき、このユニットは気体流れから液滴を分離する技術において知られている合体フィルタのカートリッジアレイを用いたものとすることができる。そのようなフィルタカートリッジアレイの設計は、気体流れの速度やそのようなハードウエアを装着するため処理機内で利用できるスペースに依存している。合体フィルタカートリッジアレイは、特に蒸気の空気流が凝縮物の極めて細かい液滴をかなりの量含んでいる場合に好ましいものである。あるいは、合体ユニット７４としての合体フィルタカートリッジアレイは処理機の外に配置されてもよい。
【００３９】
分離室７８は蒸気のより細かな液滴を除去するが、このより細かな液滴は合体ユニット７４および／または突き当たり面７６によって空気から除去できなかったものである。分離室７８は、空気から蒸気を除去する、従来の液体−蒸気分離方法のいずれも用いることができる。一実施形態では、分離室７８における、突き当たり面７６の上方の領域は使い捨てのろ過媒体８６がぎっしり詰め込まれており、このろ過媒体は蒸気から形成される凝縮液を蓄積する。他の実施形態では、分離室７８における、突き当たり面７６の上方の領域は排出媒体８６がぎっしり詰め込まれる。この排出媒体は凝縮物で飽和しないが、蒸気が液体として集まりその媒体から分離室７８の底８１へ排出するようにするものである。これら２つの実施形態のいずれも図２に示される。さらに他の実施形態では、蒸気を伴った空気がサイクロン分離機に導かれる。この分離機は循環流を生じさせるものであり、この循環流において凝縮部の滴は放られて分離機の内壁に突き当たり、ここで滴は集まって分離機から排出される。
【００４０】
総てのまたは実質的に総ての液が空気から除去された後は、その空気（および残った蒸気）は開口８２を解して分離室７８を出、導管８９を通り吸出しファン６２まで行く。そして、排出口５４において処理機１０から出る。分離室７８を離れた後の空気における蒸気が凝縮し続けるあらゆる可能性を小さくするため、吸出しファン６２の前後の導管８９内に付加的な空気を導入してもよく、これにより、空気中の蒸気を薄くすることができる。外部の排気システムは、外部のフィルタのようなものであって、排気口５４に連結して空気を外の環境に送る前に空気から最後の蒸気除去を行うようにすることもできる。
【００４１】
空気によって運ばれる凝縮物の小さな滴が排気される空気の中に残っている場合は、必ず、排気システム全体で、空気の流れがよどみないもの、すなわち、空気流の再循環がないもとすることが好ましく、そのような流れでは低速度で空気の流れる領域がまったくないか、あるいは最小限となる。パイプシステムにおける不正確な接合部や小さなパイプが大きなパイプに入るところで生じるような、急な膨張、収縮、あるいは流れの制限によって、空気によって運ばれる液滴はそれらが分散した状態から出て排気パイプ内に集まり、好ましくない場所で液体凝縮が密集を生じさせることになる。この問題は排気口５４における空気の流れを滑らかな配管内にとどめそれにより空気流の乱れを最小限にすることによって避けることができる。これに代わって、排気システムが一続きの同心オリフィスのような一連の急な収縮、膨張を含むことにより、運ばれる蒸気の滴が出口で乱れによる堆積を促進するようにすることもできる。排出ラインを排気システムに装着し、収集した凝縮物を分離室７８の底８１のような収集場所に導くことができる。
【００４２】
液体の集中が避けられない箇所では、凝縮物を吸収するパイプ材料を利用することは好都合であることがある。凝縮物を吸収し用いるのに適したパイプ材料には、ＰＶＣ、シリコン、および他の重合材料があり、これらの材料において凝縮物は溶解できる。このような配管はおそらく取り替え可能である必要がある。これはパイプ材料が凝縮物を吸収したことによって膨張しまたは柔らかくなるからである。しかし、排気口５４や処理機１０の外部に付随するパイプの取替えは、パイプに堆積した液体残留物の定期的なクリーニングに対して、比較的まれに行うことが好ましい。凝集物を吸収するパイプ材料は凝縮物吸収材料とすることができる。
【００４３】
分離室７８の底８１からの凝縮物は、次のいくつかの方法のいずれか１つあるいはそれらの組み合わせによって管理することができる。図２に示されるように、凝縮物は、分離室７８の底８１から排出され、環境的に健全な方法で配置された容器９０内に集められる。他の実施形態では、凝縮物は分離室７８の底８１からくみ出されてもよく、または容器に排出され、その後加圧されて処理機１０から除去のために分配される。凝縮物は、吸収ウエブ３５が巻き取りロール４５に巻き取られる前または巻き取られる丁度そのときに、（ポンプによって）そのウエブに分配されてもよい。あるいは、凝縮物は凝縮物吸収材料に分配されてもよく、その材料は、収集トレイ上の粘土のような微粒子、または他の吸収ウエブないし吸収材料とは異なる材料とすることができる。上述した排気口５４における凝縮物と同様、分離室７８からの凝縮物は、その組成が凝縮物吸収材料であるパイプに分配され、またはそのパイプを通って渡される。ウエブ形態のまたは繊維状の物質の凝集物吸収材料は、巻き取りロール４５のカラー上に配置することができる。さらに他の実施形態では、凝縮物は（分離室の底８１または収集容器にある間）化学線に晒される。凝縮液は化学線に十分な時間晒されることにより、硬くなって処理機１０から除去するための粘着性の状態となる。凝縮物は、また、分配されて酸素不透過のまたは実質的に酸素不透過のフィルムの間に層を形成し、化学線に晒されるようにすることもできる。酸素不透過フィルムの間に凝縮物の層を配置することにより、凝縮物を晒す間に酸素が存在することを最小限にすることができ、これにより、凝縮物は比較的短い時間で十分に硬化するようにすることができる。紫外線ランプを用いてそれに凝縮物を晒し、液化した凝縮物を硬化することもできる。そのような紫外線ランプは、フェアフィールド、ＣＴ；フィリップスコーポレーション（ＰｈｉｌｉｐｓＣｏｒｐ）のボルタァークテクノロジーズ（ＶｏｌｔａｒｃＴｅｃｈｎｏｌｏｇｉｅｓ）インコーポレーションから、販売者であるファミングデール、ＮＹのバルブトロニックス（Ｂｕｌｂｔｒｏｎｉｃｓ）を介して手に入れることができる。
【００４４】
少なくとも１つの収集部材５５、導管６６、および分離ユニット７０は、それらが処理機の動作状態にあるとき、また、蒸気もしくは凝縮物と接触したときに、柔らかくならず、溶解せず、反応せず、また、腐食しないという条件の下で、使用に適した材料であればどのようなもので作られてもよい。１つの好ましい実施形態では、収集部材５５、導管６６、および分離ユニット７０はステンレススティールによって作られる。ある状況の下では、排気口５４および排気配管に関して上述したように、凝縮物を吸収する材料を処理機１０内の蒸気−凝縮物管理システムにおける１つまたはそれより多い部品に用いることは望ましいことでもある。凝縮物を吸収する材料はその使用に伴って柔らかくなりやすいものでも、これらの材料は、システムにおいて容易に取り替えることができ、好ましくは分離ユニット７０の下流側の領域で用いることができる。
【００４５】
本発明の方法および装置は、有利に、感光性要素の熱現像において蒸気および／または蒸気から生じる凝集物を制御する手段を提供する。本発明は、蒸気から凝縮物への変換を制御し、凝縮物が容易に捕えられ装置から除去されるようにする。さらに、凝縮物は、後の処理のために装置から蒸気もしくは噴霧として排気されるよりも、液体でまたは固体の形態でさえも処理機から取り除かれる。
【００４６】
感光性要素
本発明では、要素が加熱の際に蒸気を生じるという条件の下で、熱処理されるその要素の種類は限定されない。一実施形態では、要素は感光性要素１６であり、これには柔らかい基材やその基材の上に設けられる組成物層が含まれる。組成物層は、基材上の少なくとも１つの層であり、部分的に液化されることが可能なものである。好ましくは、感光性要素１６は、フレキソ印刷形態に用いるのに適したエラストマー印刷要素である。基材上の少なくとも１つの層は、好ましくは感光性層であり、また、最も好ましくはエラストマー組成の光重合可能な層であり、ここでは感光性層が化学線によって選択的に硬化することができる。ここで用いられる“光重合可能”と言う用語は、光重合可能、光交差結合可能、または両方であるシステムを含んでいる。組成物層が１つより多い感光性層を柔らかい基材上に備えている場合は、感光性層のそれぞれの組成物が他の感光性層と同じかまたは異なるものとすることができる。
【００４７】
感光性組成物の層は熱現像に際して部分的に液化することが可能である。すなわち、熱現像中に非硬化組成物は、合理的な温度ないし現像温度で軟化しまたは溶解する必要がある。組成物層の外面を層の一部を液化するに十分な温度Ｔｒまで加熱することにより、層における１つまたはそれより多い組成物が蒸気を生じるようにすることもできる。
【００４８】
感光性層は少なくとも１つのモノマーと光開始剤を含み、また、任意に結合剤を含む。少なくとも１つのモノマーは、少なくとも１つの末端エチレン基を持った付加重合可能なエチレン不飽和化合物である。感光性層に用いられ得るモノマーは本技術ではよく知られており、単官能基のアクリル酸塩およびメタアクリル酸塩、多機能のアクリル酸塩およびメタアクリル酸塩、およびポリアクリルオリゴマーを含むものである。モノマーの一例には、以下のものに限定はされないが、エチレングリコールジアクリレート、ヘキサンジオールジアクリレート、ジエチレングリコールジアクリレート、グリセロールジアクリレート、トリメチロールプロパントリアクリレート、ヘキサンジオールジメチアクリレート、グリセロールトリアクリレート、トリメチロールプロパントリアクリレート、ジメチル酸エチレングリコール、１，３−ジメチル酸プロパンジオール、１，２，４−トリメチル酸ブタントリオール、および１，４−ブタンジオールジアクリレートが含まれる。モノマーの他の例は、特許文献１１、特許文献１２、および特許文献１３において見出すことができる。モノマーの混合したものも用いることができる。
【００４９】
光開始剤は化合物であり、化学線に晒されるとフリーラジカルを発生する。知られている種類の光開始剤、特に、フリーラジカル光開始剤はどれでも用いることができ、そのようなものとして、キノン、ベンゾフェノン、ベンゾインエーテル、アリールケトン、過酸化物、バイイミダゾール、ジアリールヨードニウム、トリアリールサルフォニウム、フォスフォニウム、およびジアゾニウムがある。あるいは、光開始剤は化合物の混合物でもよく、その１つが照射によって活性化する増感体によって活性化されるフリーラジカルをもたらす。
【００５０】
任意の結合剤は前もって形成されたポリマーであり、化学線に晒される前にはモノマーと光開始剤の母体として役に立ち、また、晒される前と後の両方でフォトポリマーの物理的特性に寄与している。一実施形態では、任意の結合剤はエラストマーである。エラストマー結合剤について限定されない例は、Ａ−Ｂ−Ａタイプのブロック共重合体であり、ここで、Ａは非エラストマーブロック、好ましくはビニールポリマー、最も好ましくはポリスチレンを表し、Ｂはエラストマーブロック、好ましくはポリブタジエンまたはポリイソプレン表している。用いることできる他の感光性エラストマーには、特許文献５や特許文献６に記載されているようなポリウレタンエラストマーが含まれる。モノマーまたはその混合物は結合剤との間で、澄んで濁りのない感光性層が製造されるように融和性がなければならない。
【００５１】
感光性層に対する追加の添加物には、着色剤、処理補助剤、酸化防止剤、およびオゾン劣化防止剤が含まれる。処理補助剤は、低分子量のポリマーで、エラストマーブロック共重合体を融和性を有したものとすることができる。オゾン劣化防止剤には、炭化水素ワックス、ノルボルネン、および植物油が含まれる。酸化防止剤に適したものには、アルキル化されたフェノール、アルキル化されたビスフェノール、重合したトリメチルジヒドロキン、およびジラウリルチオプロピオンが含まれる。
【００５２】
感光性要素には、基材と反対側で感光性層のそばの１つまたはそれより多い追加の層が含まれる。追加の層の例には、以下のものに限られないが、解除層、キャップ層、エラストマー層、レーザ光感応性層、バリア層、およびこれらの組み合わせが含まれる。１つまたはそれより多い追加の層は、好ましくは、用いられる感光性要素にとって許容範囲にある現像温度で吸収材との接触によって、全部または一部を取り除くことができるものである。１つまたはそれより多い追加の層の他の例は、感光性組成物層をまたはその一部だけを覆うことのできるものである。感光性組成物層の一部のみを覆う追加の層の例はマスキング層であり、これは化学線ブロック材またはインクを、像のような付与すること、例えば、インクジェットによって付与することによって形成される。
【００５３】
解除層は組成物層を保護し、感光性要素に対する像のよう露出に用いられるマスクを容易に取り除くことを可能とするものである。解除層に適した材料はこの技術において良く知られたものであり、好ましいものとしては、ポリアミド、ポリビニルアルコール、ヒドロキシアルキルセルロース、および両性の高分子間錯体、また、これらの組み合わせである。キャップ層に適した組成物およびその層を要素上に形成する方法は、特許文献２や特許文献１４（双方ともＧｒｕｅｔｚｍａｃｈｅｒその他に与えられたもの）に記載される多層のカバー要素におけるエラストマー組成物として開示されている。エラストマーキャップ層は、感光性層と同様に、像のような露出の後エラストマーキャップ層は、用いられる感光性要素にとって許容範囲の温度で少なくとも部分的に吸収材と接触ずることによって取り除かれる。
【００５４】
一実施形態では、レーザ光感応性層は赤外線レーザに感応するものであり、従って、赤外線感応層として認識できる。レーザ光官能性層は、感光性層の上におくことができ、または感光性層の上のバリア層の上におくことができ、または感光性層とともに１つの組合せを形成する一時的な支持体の上におくことができる。解除層およびエラストマー層のそれぞれは、解除層および／またはキャップ層が赤外線感応層と感光性層との間に配置される場合は、バリア層として機能する。赤外線感応層は、赤外線レーザ光に晒すことによって、柔らかい基材の反対側の感光性層から除去することができる（すなわち、蒸発または取り除くことができる）。あるいはこれに代わって、感光性層が赤外線感応層を支持する支持体とともに組合せを形成する場合は、赤外線感応層は、赤外線に晒すことによって、一時的な支持体から感光性層の（柔らかい基材と反対側の）外面に転写することができきる。赤外線感応性層はそれ単体でまたは他の層、例えば、放出層、加熱層などとともに用いることができる。
【００５５】
赤外線感応性層は一般に赤外線吸収層、赤外線遮光材料、および任意の結合剤を有している。カーボンブラックやグラファイトのような濃い無機顔料は、一般に赤外線感応性材料と赤外線遮光材料の両方として機能する。赤外線感応層の厚さは、化学線に対する感応性と遮光性の両方を最大限に発揮させる範囲内のものとする必要がある（例えば、光学濃度が２．５以上）。このような光剥離または光転写可能な赤外線感応性層は、デジタルダイレクト版技術において用いることができ、ここでは、レーザ光に晒すことによって赤外線感応性層を取り除きまたは転写して感光性要素に現物のマスクを形成するようにする。好適な赤外線感応性の組成物、要素、およびそれらの調整は、特許文献１５、特許文献１６、特許文献１７、特許文献１８、特許文献１９、特許文献２０、および特許文献２１に開示されている。赤外線感応性層は、好ましくは用いられる感光性要素に対して許容できる現像温度の範囲内で吸収層と接触することにより除去できるものである。
【００５６】
本発明の感光性要素は、さらに感光性要素の最上面の上に一時的なカバーシートを備えてもよい。カバーシートの１つの目的は、感光性要素の貯蔵および取り扱いの際にその最上面を保護することである。カバーシートは、最終用途に応じて、像形成に先立ち取り除かれたり取り除かれなかったりするが、現像の前には取り除かれる。カバーシートに適した材料の例には、ポリスチレン、ポリエチレン、ポリプロピレン、ポリカーボネイド、フッ素重合体、ポリアミド、またはポリエステルの薄いフィルムが含まれる。
【００５７】
基材はその選択によって引き裂きに抵抗でき、また、相当の高い融点、例えば、その基材上に形成される組成物の融点温度より高い融点を持つ必要がある。それに適した材料は、以下のものに限定されないが、それらから選ぶことができ、ポリマーのフィルム、織物、およびアルミや鋼のような金属である。基材は、また、そのほとんどがフィルムを形成するポリマー材料とすることもでき、これは処理条件の総てにおいて反応せず安定しているものである。好適なフィルム支持体の例には、セルロースフィルムやポリオレフィン、ポリカーボネイド、およびポリエステルのような熱可塑性材料が含まれる。線状のポリエステルが好ましく、特に、ポリエチレンテレフタレート（ＰＥＴ）が好ましいものである。
【００５８】
感光性要素の基材は、約０．０１ｍｍから０．３８ｍｍの間の厚さを有している。放射硬化組成物層は、約０．３５ｍｍから約７．６ｍｍの範囲内の厚さであり、好ましくは、約０．５ｍｍから約３．９ｍｍの範囲（２０〜１５５ｍｉｌｓ）である。
【００５９】
感光性要素１６が熱現像のために用意され、この現像は要素１６を化学線に対して像のように晒すことによって行われる。像のように露出した後、感光性要素１６は放射硬化組成物層の露出領域の硬化部分と放射硬化組成物層の非露出領域の非硬化部分とを含む。
【００６０】
像のような露出は、感光性要素を像坦持マスクを介して晒すことによって行われる。像坦持マスクは、黒と白の透明なものもしくはネガで印刷される目的物を含んだもの、または組成物層にレーザ線感応性層を用いて形成される現物のマスク、またはこの技術において知られている他の手段とすることができる。像のような露出は、真空環境で行われ、または大気中の酸素が存在する中で行われる。露出の際は、マスクの透明な領域によって付加的な重合または架橋が起き、一方で化学線を遮光する領域によって架橋がなされないようにする。露出は架橋が支持体もしくは露出層の裏側（床）まで至る十分に持続するものである。像のような露出時間は通常バックフラッシュ時間より長く、数分から１０分の間である。
【００６１】
直接版像形成について、特許文献１６、特許文献１７、特許文献１８、特許文献１９、特許文献２０、および特許文献２１に開示されるように、像坦持マスクは赤外線レーザ露出エンジンを用いることによりレーザ線感応性層とともに形成される。像のようなレーザ露出は様々な種類の赤外線レーザを用いて実行でき、このレーザは７５０〜２００００ｎｍの範囲、好ましくは７８０〜２０００ｎｍの範囲で発する。ダイオードレーザを用いることもできるが、１０６０ｎｍを発するニオジウムＹＧレーザが好ましい。
【００６２】
化学線源としては、紫外線、可視および赤外線の波長領域のものがある。特定の化学線源の適格性は、開始剤の感光性と感光性要素のフレキソ印刷版を用意する際に用いられる少なくとも１つのモノマーによって支配される。最も普通のフレキソ印刷版の好ましい感光性は、紫外線およびスペクトラムの深度可視領域のものであり、室内照明の安定度を与えるものである。組成物層の化学線に露出した部分は化学的に架橋して硬化する。組成物層の非照射（非露出）部分は硬化されず、硬化された照射部分よりも低い融点温度を有する。結果として、像のように露出された感光性要素１６は、レリーフパターンを形成するための、吸収材を用いた熱現像する状態となる。
【００６３】
バック露出、いわゆるバックフラッシュ露出が、像のような露出の前または後に行われてもよく、これにより、感光性層の支持体に隣接する所定の厚さについて共重合を行うようにする。感光性層の共重合された部分は、床と称される。床の厚さは露出の時間、露出源などに応じて変わる。この露出は散乱または方向付けたものとすることができる。像のような露出に適した放射源は総て用いることができる。露出は一般には１０秒から３０分の間行われる。
【００６４】
マスクを介して紫外線に対する全体の露出の後、感光性印刷要素は熱現像され、これにより、その共重合可能な層の共重合されない領域が取り除かれて、レリーフ像が形成される。熱現像工程では、少なくとも、光共重合可能層の化学線に露出されない領域、すなわち、共重合可能層の露出されないもしくは硬化されない領域を取り除く。エラストマーキャップ層を除いて、通常は共重合可能層上にある追加の層は、共重合可能層の共重合領域から取り除かれ、または実質的に取り除かれる。
【００６５】
装置の感光性要素を熱現像する処理のための動作を、図１を参照して説明する。版処理機１０のホームポジションでは、ドラム１８は静止しこのときクランプ２０は供給トレイ１４に隣接した、ドラム頂部近くにある。操作者は、感光性要素１６を供給トレイ１４の上に置く。そして、操作者はクランプ２０を開け、要素１６の先端をクランプに係合させる。ドラムヒータ２４はまたはＩＲヒータ３０がドラム１８の予熱に用いられる。ホットロール３８用のカートリッジヒータ（不図示）はホットロールを予熱するのに用いられる。ドラム１８は回転を開始し、それによって要素１６を運ぶ。ヒータ３０は要素１６がヒータ３０のところに到達する前にバルブ３１を予熱するようにし、その後動作設定に切替え要素１６上の組成物を溶解するための所望の温度Ｔ１を実現するようにする。要素１６の先端がホットロール３８がドラム１８に接触できる位置に到達すると、ホットロールアクチュエータ４９は吸収材ウエブ３５を支持するホットロール３８を要素１６に向けて移動させる。感光性要素組成物層は、吸収材に接触しつつ間４０℃〜２３０℃（１０４〜３９２°Ｆ）の間の温度に加熱される。吸収材は加熱される感光性要素の組成物層の外面１７に接触して、組成物層の非照射部分からエラストマーポリマーの液化した部分を吸収し、レリーフパターンもしくは表面を形成するように部分的に除去されたフレキソ印刷版を形成する。同時に、組成物層の加熱によって発生した蒸気は、処理機１０内で少なくとも１つの収集部材５５に集めることによって制御される。吸収材と非硬化部分が溶解される組成物層との間でおおよそ密着を維持することにより、硬化していない感光性物質の光重合可能な層から吸収部材への移動が生じる。未だ加熱状態にある間に、吸収部材は硬化した感光性要素１６ａから離れてレリーフ面を現すようにする。
【００６６】
要素１６の後端部がホットロール／ドラム接触点、すなわち、ニップを過ぎると、ヒータ３０は冷えまたは停止し、アクチュエータ４９はホットロール３８を引っ込め、また、ウエブ３５は停止する。ドラム１８は要素１６の先端をホームポジションに戻して次の加熱と接触のサイクルを始める。光重合可能層の加熱および溶解された層（部分）を吸収部材に接触させる工程のサイクルは、非硬化部分が適切に除去されて十分なレリーフの深さを作るのに必要な回数繰返される。しかし、適切なシステム動作のためにはその回数を最小限とすることが望ましく、通常、光重合可能な要素の熱処理が５ないし１５サイクル繰返される回数である。光重合可能層に対する吸収部材の密接な接触は、その層と吸収部材とを相互に押圧することによって維持することができる。
【００６７】
吸収部材は、放射硬化組成物の非照射部分ないし非硬化部分の溶解温度を超える溶解温度を持ち、また、同じ動作温度で良好な引き裂き抵抗を持つように選択される。好ましくは、選択された材料は加熱の間感光性要素の処理に必要な温度に耐えるものである。吸収部材は、腐食布材料、用紙、繊維上の織物、オープンセルフォーム部材、または、おおよそごくわずかな空隙体積を含んだ多孔性材料から選択することができる。吸収部材はウエブまたはシートの形態とすることができる。吸収部材は、また、吸収部材の平方ミリメートル当たりでエラストマーが吸収されるグラム数で測定される吸収性が高いものでなければならない。さらにまた、繊維は吸収部材において接着され、これにより現像の間繊維が版の中に配されないようする。腐食布のナイロンウエブが好ましいものである。熱現像の後、いずれかの工程で、フレキソ印刷版は、事後の露出が行われ、および／または化学的または物理的に後処理が行われて、フレキソ印刷版表面の粘着力を減ずるようにする。
【図面の簡単な説明】
【００６８】
【図１】本発明の一実施形態を表し感光性要素を加熱することによって生じる蒸気および／または凝集物を制御するための熱現像装置を側方から見た模式的断面図である。
【図２】空気から蒸気を分離するための分離ユニットの一実施形態を示す模式的断面図である。
【図１】
2005134892.tif 000003
【図２】
2005134892.tif 000004
【外国語明細書】
2005134892000001.pdf